(57)【要約】  人間の肌が実際に曝される物理刺激に対する個々の刺激反応を測定する。  測定装置は、被験者の顔の皮膚の測定対象部位肌に物理刺激を与える刺激付加手段刺激付加部と、測定対象部位に物理刺激に対する被験者の刺激反応を測定する測定手段測定部と、を備える。
2019044869.tif 000002
【特許請求の範囲】
【請求項１】
被験者の肌に物理刺激を与える刺激付加部と、
前記物理刺激に対する前記被験者の刺激反応を測定する測定部と、
を備える、測定装置。
【請求項２】
前記刺激付加部は、前記肌に液体を接触させる、
請求項１に記載の測定装置。
【請求項３】
前記被験者の操作に応じた信号を生成する操作部を備え、
前記測定部は、前記液体が前記肌に接触してから前記操作部によって前記信号が生成される迄の反応時間を測定する、
請求項２に記載の測定装置。
【請求項４】
前記刺激付加部は、前記肌に気体を接触させる、
請求項１〜３の何れかに記載の測定装置。
【請求項５】
前記測定部は、前記気体が接触した肌の粘弾性による位相の時間変化を測定する、
請求項４に記載の測定装置。
【請求項６】
前記気体を加熱するヒータを備え、
前記刺激付加部は、前記ヒータによって加熱された気体を前記肌に接触させる、
請求項４又は５に記載の測定装置。
【請求項７】
前記測定部は、前記物理刺激が付加されている間の前記肌の画像を撮像するカメラを備える、
請求項１〜６の何れかに記載の測定装置。
【請求項８】
前記刺激付加部は、前記肌に光を照射する発光部を備え、
前記カメラは、前記光が照射されている間の前記肌の画像を撮像する、
請求項７に記載の測定装置。
【請求項９】
前記刺激付加部は、前記肌を吸引する、
請求項１〜８の何れかに記載の測定装置。
【請求項１０】
前記測定部は、前記吸引された肌の粘弾性による圧力の時間変化を測定する、
請求項９に記載の測定装置。
【請求項１１】
請求項１〜１０の何れかに記載の測定装置を制御するクライアント装置と通信可能なサーバであって、
前記クライアント装置から、前記測定装置による測定を受ける被験者を識別する被験者ＩＤと、前記測定装置による測定結果を示す測定結果情報と、を取得する手段を備え、
前記被験者ＩＤと、前記測定結果情報と、を関連付けて記憶する手段を備える、
サーバ。
【発明の詳細な説明】
【技術分野】
【０００１】
本発明は、測定装置及びサーバに関する。
【背景技術】
【０００２】
一般に、肌に使用されるスキンケア化粧品は、消費者の肌の状態に考慮して選択されることが好ましい。そのため、化粧品の販売店では、販売員は、測定装置を用いて消費者の肌の状態を測定し、測定結果に基づく最適な化粧品を提案することが一般的である。【０００３】
従来、肌の状態を測定する技術として、センサ及びカメラを用いて、肌の状態を測定する技術が知られている（例えば、特許文献１を参照）。
【先行技術文献】
【特許文献】
【０００４】
【特許文献１】特開２００３−３２９６７４号公報
【発明の概要】
【発明が解決しようとする課題】
【０００５】
実際には、人間の肌は、様々な物理刺激に曝される。肌は、物理刺激に応じた反応（以下「刺激反応」という）を示す。刺激反応には、個人差がある。スキンケア化粧品は、このような刺激反応を考慮して選ぶことが好ましい。つまり、最適なスキンケア化粧品を提供するためには、個々の刺激反応を知る必要がある。【０００６】
しかし、特許文献１のセンサ及びカメラから得られる測定結果には、刺激反応との相関性がない。特許文献１の測定結果は、センサ及びカメラが取得した情報に基づく推定結果であって、実際の刺激反応を示すものではない。【０００７】
つまり、特許文献１では、人間の肌が実際に曝される物理刺激に対する個々の刺激反応を測定することはできない。【０００８】
本発明の目的は、人間の肌が実際に曝される物理刺激に対する個々の刺激反応を測定することである。
【課題を解決するための手段】
【０００９】
本発明の一態様は、
被験者の肌に物理刺激を与える刺激付加部と、
前記物理刺激に対する前記被験者の刺激反応を測定する測定部と、
を備える、測定装置である。
【発明の効果】
【００１０】
本発明によれば、人間の肌が実際に曝される物理刺激に対する個々の刺激反応を測定することができる。
【図面の簡単な説明】
【００１１】
【図１】本実施形態の測定システムの概略図である。
【図２】本実施形態の測定システムの構成を示すブロック図である。
【図３】図１の測定装置本体の構成図である。
【図４】図１の操作部の構成図である。
【図５】図１のヘッドマウントプローブの構成図である。
【図６】図１のヘッドマウントプローブの部分拡大図である。
【図７】ヘッドマウントプローブの使用例を示す図である。
【図８】本実施形態の概要の説明図である。
【図９】本実施形態の被験者情報データベースのデータ構造を示す図である。
【図１０】本実施形態の測定コース情報マスタのデータ構造を示す図である。
【図１１】本実施形態の測定情報データベースのデータ構造を示す図である。
【図１２】本実施形態の評価情報データベースのデータ構造を示す図である。
【図１３】本実施形態のアドバイス情報マスタのデータ構造を示す図である。
【図１４】本実施形態の測定処理のシーケンス図である。
【図１５】図１４の処理において表示される画面例を示す図である。
【図１６】図１４の処理において表示される画面例を示す図である。
【発明を実施するための形態】
【００１２】
以下、本発明の一実施形態について、図面に基づいて詳細に説明する。なお、実施形態を説明するための図面において、同一の構成要素には原則として同一の符号を付し、その繰り返しの説明は省略する。
【００１３】
（１）測定システムの構成
測定システムの構成について説明する。図１は、本実施形態の測定システムの概略図である。図２は、本実施形態の測定システムの構成を示すブロック図である。
【００１４】
図１に示すように、測定システム１は、クライアント装置１０と、サーバ３０と、測定装置５０と、を備える。
クライアント装置１０及びサーバ３０は、ネットワーク（例えば、インターネット又はイントラネット）ＮＷを介して接続される。
測定装置５０は、クライアント装置１０に接続される。
【００１５】
クライアント装置１０は、サーバ３０にリクエストを送信する情報処理装置の一例である。クライアント装置１０は、例えば、スマートフォン、タブレット端末、又は、パーソナルコンピュータである。
【００１６】
サーバ３０は、クライアント装置１０から送信されたリクエストに応じたレスポンスをクライアント装置１０に提供する情報処理装置の一例である。サーバ３０は、例えば、ウェブサーバである。
【００１７】
測定装置５０は、被験者に物理刺激を付加し、且つ、物理刺激に対する被験者の刺激反応を測定するように構成される。
【００１８】
（１−１）クライアント装置の構成
図２を参照して、クライアント装置１０の構成について説明する。
【００１９】
図２に示すように、クライアント装置１０は、記憶装置１１と、プロセッサ１２と、入出力インタフェース１３と、通信インタフェース１４とを備える。
【００２０】
記憶装置１１は、プログラム及びデータを記憶するように構成される。記憶装置１１は、例えば、ＲＯＭ（Read Only Memory）、ＲＡＭ（Random Access Memory）、及び、ストレージ（例えば、フラッシュメモリ又はハードディスク）の組合せである。
【００２１】
プログラムは、例えば、以下のプログラムを含む。
・ＯＳ（Operating System）のプログラム
・情報処理を実行するアプリケーション（例えば、ウェブブラウザ）のプログラム
【００２２】
データは、例えば、以下のデータを含む。
・情報処理において参照されるデータベース
・情報処理を実行することによって得られるデータ（つまり、情報処理の実行結果）
【００２３】
プロセッサ１２は、記憶装置１１に記憶されたプログラムを起動することによって、クライアント装置１０の機能を実現するように構成される。プロセッサ１２は、コンピュータの一例である。
【００２４】
入出力インタフェース１３は、クライアント装置１０に接続される入力デバイスからクライアント装置１０に対するユーザ指示を取得し、かつ、クライアント装置１０に接続される出力デバイスに情報を出力するように構成される。
入力デバイスは、例えば、キーボード、ポインティングデバイス、タッチパネル、又は、それらの組合せである。
出力デバイスは、例えば、ディスプレイである。
【００２５】
通信インタフェース１４は、クライアント装置１０とサーバ３０との間の通信と、クライアント装置１０と測定装置５０との間の通信と、を制御するように構成される。
【００２６】
（１−２）サーバの構成
図２を参照して、サーバ３０の構成について説明する。
【００２７】
図２に示すように、サーバ３０は、記憶装置３１と、プロセッサ３２と、入出力インタフェース３３と、通信インタフェース３４とを備える。
【００２８】
記憶装置３１は、プログラム及びデータを記憶するように構成される。記憶装置３１は、例えば、ＲＯＭ、ＲＡＭ、及び、ストレージ（例えば、フラッシュメモリ又はハードディスク）の組合せである。
【００２９】
プログラムは、例えば、以下のプログラムを含む。
・ＯＳのプログラム
・情報処理を実行するアプリケーションのプログラム
【００３０】
データは、例えば、以下のデータを含む。
・情報処理において参照されるデータベース
・情報処理の実行結果
【００３１】
プロセッサ３２は、記憶装置３１に記憶されたプログラムを起動することによって、サーバ３０の機能を実現するように構成される。プロセッサ３２は、コンピュータの一例である。
【００３２】
入出力インタフェース３３は、サーバ３０に接続される入力デバイスからサーバ３０に対するユーザ指示を取得し、かつ、サーバ３０に接続される出力デバイスに情報を出力するように構成される。
入力デバイスは、例えば、キーボード、ポインティングデバイス、タッチパネル、又は、それらの組合せである。
出力デバイスは、例えば、ディスプレイである。
【００３３】
通信インタフェース３４は、サーバ３０とクライアント装置１０との間の通信を制御するように構成される。
【００３４】
（１−３）測定装置の構成
図２を参照して、測定装置５０の構成について説明する。
【００３５】
図２に示すように、測定装置５０は、本体５０ａと、ヘッドマウントプローブ５５と、操作部５６と、刺激生成部５７と、を備える。
【００３６】
本体５０ａは、記憶装置５１と、プロセッサ５２と、入出力インタフェース５３と、通信インタフェース５４と、刺激生成部５７と、圧力測定部５８と、を備える。
【００３７】
記憶装置５１は、プログラム及びデータを記憶するように構成される。記憶装置５１は、例えば、ＲＯＭ、ＲＡＭ、及び、ストレージ（例えば、フラッシュメモリ又はハードディスク）の組合せである。
【００３８】
プログラムは、例えば、以下のプログラムを含む。
・ＯＳのプログラム
・測定装置５０のファームウェアのプログラム
【００３９】
データは、例えば、以下のデータを含む。
・情報処理において参照されるデータベース
・情報処理を実行することによって得られるデータ（つまり、情報処理の実行結果）
【００４０】
プロセッサ５２は、記憶装置５１に記憶されたプログラムを起動することによって、測定装置５０の機能を実現するように構成される。プロセッサ５２は、コンピュータの一例である。
【００４１】
入出力インタフェース５３は、測定装置５０に接続されるヘッドマウントプローブ５５及び操作部５６との間で、信号の入出力を行うように構成される。
【００４２】
通信インタフェース５４は、測定装置５０とクライアント装置１０との間の通信を制御するように構成される。
【００４３】
刺激生成部５７は、物理刺激を被験者に付加するための媒体である刺激物質を生成するように構成される。刺激物質は、気体、液体、又は、それらの組合せである。
【００４４】
ヘッドマウントプローブ５５は、刺激生成部５７によって生成された刺激物質を被験者の肌に当てることにより、被験者の肌に物理刺激を与えるように構成される。ヘッドマウントプローブ５５は、被験者の刺激反応を測定するように構成される。
【００４５】
操作部５６は、被験者の操作を介して、被験者の刺激反応を測定するように構成される。
【００４６】
圧力測定部５８は、吸引に対する被験者の肌の抵抗圧（例えば、皮膚を吸引した時の皮膚内部の粘弾性による圧力変化）を測定するように構成される。
【００４７】
（１−３−１）測定装置本体の構成
本実施形態の測定装置本体の構成について説明する。図３は、図１の測定装置本体の構成図である。
【００４８】
刺激生成部５７は、水タンク５７ａと、洗浄液タンク５７ｂと、廃液タンク５７ｃと、ポンプ５７ｄと、を備える。
【００４９】
水タンク５７ａには、水が収容される。
【００５０】
洗浄液タンク５７ｂには、洗浄液が収容される。洗浄液は、例えば、以下の少なくとも１つを含む。
・界面活性剤
・アルコール類
・揮発性油分
・温水
【００５１】
廃液タンク５７ｃには、ヘッドマウントプローブ５５から循環して本体５０ａに戻る水又は洗浄液（以下「廃液」という）が収容される。
【００５２】
ポンプ５７ｄは、以下の機能を有する。
・水タンク５７ａに収容された水をヘッドマウントプローブ５５に送る機能
・洗浄液タンク５７ｂに収容された洗浄液をヘッドマウントプローブ５５に送る機能
・本体５０ａ内の空気をヘッドマウントプローブ５５に送る機能
・ヘッドマウントプローブ５５から空気を吸引する機能
・ヘッドマウントプローブ５５から送られた廃液を廃液タンク５７ｃに送る機能
【００５３】
プロセッサ５２は、ポンプ５７ｄを駆動させるためのポンプ制御信号を生成する。ポンプ５７ｄは、プロセッサ５２によって生成されたポンプ制御信号に従って駆動する。
プロセッサ５２は、ヘッドマウントプローブ５５の各部を駆動させるためのプローブ制御信号を生成する。プローブ制御信号は、入出力インタフェース５３を介して、ヘッドマウントプローブ５５に送信される。
プロセッサ５２は、入出力インタフェース５３を介して、ヘッドマウントプローブ５５から、刺激反応の測定結果を示す測定結果情報を受信する。
【００５４】
（１−３−２）操作部の構成
本実施形態の操作部５６の構成について説明する。図４は、図１の操作部の構成図である。
【００５５】
図４に示すように、操作部５６は、押しボタン５６ａと、スライダ５６ｂとを備える。
【００５６】
押しボタン５６ａは、被験者の押下操作に応じた電気信号を生成するように構成される。被験者は、例えば、物理刺激を感じた時に押しボタン５６ａを操作する。その結果、被験者が物理刺激を感じたタイミングで電気信号が生成される。つまり、押しボタン５６ａによって生成される電気信号は、被験者に物理刺激を付加してから刺激反応が起こるまでの反応時間を示す。
【００５７】
スライダ５６ｂは、被験者の操作の速度に応じた電気信号を生成するように構成される。被験者は、例えば、物理刺激の強さに応じた速度でスライダ５６ｂをスライドさせる。その結果、被験者が感じた物理刺激の強さに応じた電気信号が生成される。つまり、スライダ５６ｂによって生成される電気信号は、被験者が感じた物理刺激の強さを示す。
【００５８】
（１−３−３）ヘッドマウントプローブの構成
本実施形態のヘッドマウントプローブ５５の構成について説明する。図５は、図１のヘッドマウントプローブの構成図である。図６は、図１のヘッドマウントプローブの部分拡大図である。図７は、ヘッドマウントプローブの使用例を示す図である。
【００５９】
図５に示すように、ヘッドマウントプローブ５５は、ペルチェ素子５５ａと、水冷機５５ｂと、ヒータ５５ｃと、加速度センサ５５ｄと、カメラ５５ｅと、温度センサ５５ｇと、水位センサ５５ｈと、ＬＥＤ（Light Emitting Diode）５５ｉと、を備える。
【００６０】
図６及び図７に示すように、ヘッドマウントプローブ５５は、左プローブ５５Ｌと、右プローブ５５Ｒと、バンド５５Ｂと、を備える。左プローブ５５Ｌ及び右プローブ５５Ｒは、バンド５５Ｂの端部に繋がっている。
被験者は、左プローブ５５Ｌが左頬に接触し、且つ、右プローブ５５Ｒが右頬に接触するように、ヘッドマウントプローブ５５を頭部に装着する。これにより、左プローブ５５Ｌ及び右プローブ５５Ｒと被験者との間に空間が形成される。
【００６１】
チューブ５５ｆは、左プローブ５５Ｌ及び右プローブ５５Ｒと、本体５０ａとに接続される（図７）。チューブ５５ｆ内には、本体５０ａから送られた気体刺激物質及び液体刺激物質が流れる。チューブ５５ｆを流れた刺激物質は、気液出入口５５ｆａから放出される（図６）。気液出入口５５ｆａから放出された刺激物質は、左プローブ５５Ｌ及び右プローブ５５Ｒと被験者との間に形成された空間を介して被験者の肌に接触する。その結果、被験者に、刺激物質による物理刺激が付加される。
被験者に接触した後の液体刺激物質（廃液）は、気液出入口５５ｆａ及びチューブ５５ｆを介して、本体５０ａに戻る。
【００６２】
左プローブ５５Ｌには、温度変化による物理刺激を被験者に付加するための構成が配置される。つまり、左プローブ５５Ｌは、温度刺激を被験者に付加するように構成される。
右プローブ５５Ｒには、気体刺激物質及び液体刺激物質を被験者に付加するための構成が配置される。つまり、右プローブ５５Ｒは、気体刺激及び液体刺激を被験者に付加するように構成される。
【００６３】
ペルチェ素子５５ａは、プローブ制御信号に従って発熱する。ペルチェ素子５５ａが発した熱は、温度変化による物理刺激を被験者に付加する。ペルチェ素子５５ａは、左プローブ５５Ｌに配置される（図６）。
【００６４】
水冷機５５ｂは、プローブ制御信号に従って駆動する。水冷機５５ｂは、冷却用チューブ（不図示）に冷却水を流すことにより、ペルチェ素子５５ａの排熱を取り除くように構成される。水冷機５５ｂは、左プローブ５５Ｌに配置される（図６）。
【００６５】
ヒータ５５ｃは、プローブ制御信号に従って駆動する。ヒータ５５ｃは、チューブ５５ｆを加熱することにより、本体５０ａから送られた気体刺激物質及び液体刺激物質の温度を上昇させるように構成される。ヒータ５５ｃは、右プローブ５５Ｒの近傍に配置される（図７）。
【００６６】
加速度センサ５５ｄは、ヘッドマウントプローブ５５の加速度を測定するように構成される。加速度センサ５５ｄは、バンド５５Ｂ内に配置される（図７）。
【００６７】
カメラ５５ｅは、被験者の肌の画像を取得するように構成される。カメラ５５ｅは、例えば、ＣＭＯＳ（Complementary Metal Oxide Semiconductor）カメラである。カメラ５
５ｅは、右プローブ５５Ｒに配置される（図６）。
【００６８】
温度センサ５５ｇは、気液出入口５５ｆａから放出された気体刺激物質及び液体刺激物質の温度を測定するように構成される。温度センサ５５ｇは、右プローブ５５Ｒに配置される（図６）。
【００６９】
水位センサ５５ｈは、右プローブ５５Ｒ内に滞留する液体刺激物質の量を検出するように構成される。水位センサ５５ｈは、右プローブ５５Ｒに配置される（図６）。
【００７０】
ＬＥＤ５５ｉは、プローブ制御信号に従って発光する。ＬＥＤ５５ｉが発光した光は、被験者の肌に照射される。ＬＥＤ５５ｉは、右プローブ５５Ｒに配置される（図６）。
【００７１】
（２）本実施形態の概要
本実施形態の概要について説明する。図８は、本実施形態の概要の説明図である。
【００７２】
図８に示すように、測定装置５０は、被験者に対して、物理刺激を付加する。
【００７３】
具体的には、プロセッサ５２は、ポンプ制御信号を生成する。
ポンプ５７ｄは、ポンプ制御信号に従って駆動する。その結果、刺激物質（水タンク５７ａに収容された水、洗浄液タンク５７ｂに収容された洗浄液、及び、本体５０ａ内の空気の少なくとも１つ）がチューブ５５ｆに送られる。
チューブ５５ｆを通った刺激物質は、気液出入口５５ｆａから放出される。気液出入口５５ｆａから放出された刺激物質は、被験者の肌に接触する。これにより、被験者に対して、液体又は気体による物理刺激が付加される。
【００７４】
また、プロセッサ５２は、プローブ制御信号を生成する。
ペルチェ素子５５ａは、プローブ制御信号に従って発熱する。ペルチェ素子５５ａが発した熱により、被験者に対して、温度変化による物理刺激が付加される。
【００７５】
測定装置５０は、物理刺激に対する被験者の刺激反応を測定し、測定結果を示す測定結果情報を生成し、且つ、生成した測定結果情報をクライアント装置１０に送信する。
【００７６】
クライアント装置１０は、被験者を識別する被験者ＩＤと、測定装置５０から送信された測定結果情報と、をサーバ３０に送信する。
【００７７】
サーバ３０は、クライアント装置１０から送信された情報（被験者ＩＤ、及び、測定結果情報）を関連付けて記憶装置３１に記憶する。
【００７８】
これにより、各被験者の物理刺激に対する刺激反応に関する情報がサーバ３０に蓄積される。
【００７９】
（３）データベース
本実施形態のデータベースについて説明する。以下のデータベースは、記憶装置３１に記憶される。
【００８０】
（３−１）被験者情報データベース
本実施形態の被験者情報データベースについて説明する。図９は、本実施形態の被験者情報データベースのデータ構造を示す図である。
【００８１】
図９の被験者情報データベースには、被験者に関する被験者情報が格納される。
被験者情報データベースは、「被験者ＩＤ」フィールドと、「被験者名」フィールドと、「属性」フィールドと、を含む。各フィールドは、互いに関連付けられている。
【００８２】
「被験者ＩＤ」フィールドには、被験者を識別する被験者ＩＤが格納される。被験者ＩＤは、例えば、本実施形態の測定装置５０による測定を初めて受ける被験者の被験者情報の登録（以下「初期登録」という）の時に、サーバ３０によって決定される。
【００８３】
「被験者名」フィールドには、被験者名を示す情報（例えば、テキスト）が格納される。被験者名を示す情報は、例えば、初期登録の時に、被験者によって任意に決定される。
【００８４】
「属性」フィールドには、被験者の属性を示す属性情報が格納される。属性情報は、例えば、初期登録の時に、被験者によって任意に決定される。
「属性」フィールドは、「年齢」フィールドと、「性別」フィールドと、「国籍」フィールドと、「人種」フィールドと、を含む。
【００８５】
「年齢」フィールドには、被験者の年齢を示す情報が格納される。
「性別」フィールドには、被験者の性別を示す情報が格納される。
「国籍」フィールドには、被験者の国籍を示す情報が格納される。
「人種」フィールドには、被験者の人種を示す情報が格納される。
【００８６】
（３−２）測定コース情報マスタ
本実施形態の測定コース情報マスタについて説明する。図１０は、本実施形態の測定コース情報マスタのデータ構造を示す図である。
【００８７】
図１０の測定コース情報マスタには、被験者に対する刺激の付加パターンに関する測定コース情報が格納される。
測定コース情報マスタは、「コースＩＤ」フィールドと、「コース名」フィールドと、「測定項目」フィールドと、を含む。各フィールドは、互いに関連付けられている。
【００８８】
「コースＩＤ」フィールドには、測定コースを識別するコースＩＤが格納される。
【００８９】
「コース名」フィールドには、測定コースの名称を示す情報（例えば、テキスト）が格納される。
【００９０】
「測定項目」フィールドには、測定項目を示す情報が格納される。
「測定項目」フィールドは、「洗浄」フィールドと、「水の接触」フィールドと、「水の蒸発」フィールドと、「温風」フィールドと、「温度変化」フィールドと、「熱」フィールドと、「空気振動」フィールドと、「吸引圧力」フィールドと、「光」フィールドと、を含む。
【００９１】
「洗浄」フィールドには、洗浄液に対する刺激反応を測定するための測定シーケンスを実行するか否か（ＯＮ又はＯＦＦ）を示す情報が格納される。
この測定シーケンスでは、ポンプ５７ｄが、洗浄液をヘッドマウントプローブ５５に送る。ヘッドマウントプローブ５５に送られた洗浄液は、被験者の肌に接触する。
カメラ５５ｅは、洗浄液が被験者の肌に接触している間に、被験者の肌の画像を撮像する。この画像は、皮脂過剰分泌の測定結果を示す。
皮脂過剰分泌は、例えば、吹き出物、又は、ニキビに関する肌リスクに影響する。
【００９２】
「水の接触」フィールドには、水の接触で感じる知覚を測定するための測定シーケンスを実行するか否か（ＯＮ又はＯＦＦ）を示す情報が格納される。
この測定シーケンスでは、ポンプ５７ｄが、水をヘッドマウントプローブ５５に送る。ヘッドマウントプローブ５５に送られた水は、被験者の肌に接触する。
水の接触に応じて被験者が押しボタン５６ａ又はスライダ５６ｂを操作すると、押しボタン５６ａ又はスライダ５６ｂは、被験者の操作に応じた電気信号を生成する。この電気信号は、水の接触に対する意識下の知覚の測定結果を示す。
水の接触に応じて被験者が動くと、加速度センサ５５ｄは、ヘッドマウントプローブ５５の加速度を示す情報（以下「加速度情報」という）を生成する。この加速度情報は、水の接触に対する無意識下の知覚の測定結果を示す。
水の接触で感じる知覚は、角層脆弱化、感作、又は、アトピーに関する肌リスクに影響する。
【００９３】
「水の蒸発」フィールドには、水の蒸発で感じる知覚を測定するための測定シーケンスを実行するか否か（ＯＮ又はＯＦＦ）を示す情報が格納される。
この測定シーケンスでは、被験者の肌に水を接触させた後、ポンプ５７ｄが、本体５０ａ内の空気をヘッドマウントプローブ５５に送る。ヒータ５５ｃが空気を加熱する。ヒータ５５ｃによって加熱された空気は、被験者の肌に付着した水を蒸発させる。
水の蒸発に応じて被験者が押しボタン５６ａ又はスライダ５６ｂを操作すると、押しボタン５６ａ又はスライダ５６ｂは、被験者の操作に応じた電気信号を生成する。この電気信号は、水の蒸発に対する意識下の知覚の測定結果を示す。
水の蒸発に応じて被験者が動くと、加速度センサ５５ｄは、加速度情報を生成する。この加速度情報は、水の蒸発に対する無意識下の知覚の測定結果を示す。
水の蒸発で感じる知覚は、脂質不足、又は、脂質不良に関する肌リスクに影響する。
【００９４】
「温風」フィールドには、過剰な赤みを測定するための測定シーケンスを実行するか否か（ＯＮ又はＯＦＦ）を示す情報が格納される。
この測定シーケンスでは、ポンプ５７ｄが、本体５０ａ内の空気をヘッドマウントプローブ５５に送る。ヒータ５５ｃが空気を加熱する。その結果、被験者の肌に温風が接触する。
カメラ５５ｅは、温風が被験者の肌に接触している間に、被験者の肌の画像を撮像する。この画像は、過剰な赤みの測定結果である。
過剰な赤みは、例えば、赤ら顔、腫れ、又は、腫さに関する肌リスクに影響する。
【００９５】
「温度変化」フィールドには、弱い温度刺激に対する知覚を測定するための測定シーケンスを実行するか否か（ＯＮ又はＯＦＦ）を示す情報が格納される。
この測定シーケンスでは、ペルチェ素子５５ａが緩やかに温度を上げることにより、被験者の肌に弱い温度刺激を付加する。
弱い温度刺激に応じて被験者が押しボタン５６ａ又はスライダ５６ｂを操作すると、押しボタン５６ａ又はスライダ５６ｂは、被験者の操作に応じた電気信号を生成する。この電気信号は、弱い温度刺激に対する意識下の知覚の測定結果である。
弱い温度刺激に応じて被験者が動くと、加速度センサ５５ｄは、加速度情報を生成する。この情報は、弱い温度刺激に対する無意識下の知覚の測定結果である。
弱い温度刺激に対して感じる知覚は、化粧品を塗布した時の違和感に関する肌リスクに影響する。
【００９６】
「熱」フィールドには、強い温度刺激に対する知覚を測定するための測定シーケンスを実行するか否か（ＯＮ又はＯＦＦ）を示す情報が格納される。
この測定シーケンスでは、ペルチェ素子５５ａが急激に温度を上げることにより、被験者の肌に強い温度刺激を付加する。
強い温度刺激に応じて被験者が押しボタン５６ａ又はスライダ５６ｂを操作すると、押しボタン５６ａ又はスライダ５６ｂは、被験者の操作に応じた電気信号を生成する。この電気信号は、強い温度刺激に対する意識下の知覚の測定結果である。
強い温度刺激に応じて被験者が動くと、加速度センサ５５ｄは、加速度情報を生成する。この情報は、強い温度刺激に対する無意識下の知覚の測定結果である。
強い温度刺激に対する知覚は、化粧品を塗布した時の違和感に関する肌リスクに影響する。
【００９７】
「空気振動」フィールドには、圧力振動に対する刺激反応を測定するための測定シーケンスを実行するか否か（ＯＮ又はＯＦＦ）を示す情報が格納される。
この測定シーケンスでは、ポンプ５７ｄが、空気をヘッドマウントプローブ５５に送る。ヘッドマウントプローブ５５に送られた空気は、被験者の肌を振動させる。
圧力測定部５８は、振動している肌の皮膚表面の粘弾性による位相の時間変化を測定する。この位相の時間変化は、圧力振動に対する刺激反応の測定結果である。
圧力振動に対する刺激反応は、例えば、角質脆さ、落屑、又は、ひび割れに関する肌リスクに影響する。
【００９８】
「吸引圧力」フィールドには、吸引に対する刺激反応を測定するための測定シーケンスを実行するか否か（ＯＮ又はＯＦＦ）を示す情報が格納される。
この測定シーケンスでは、ポンプ５７ｄが、ヘッドマウントプローブ５５内の空気を吸引する。その結果、被験者の肌に吸引圧力がかかる。
圧力測定部５８は、被験者の皮膚表面の粘弾性による圧力の時間変化を測定する。この圧力の時間変化は、吸引に対する刺激反応の測定結果である。
吸引に対する刺激反応は、例えば、むくみ、たるみ、又は、しわに関する肌リスクに影響する。
【００９９】
「光」フィールドには、光に対する刺激反応を測定するための測定シーケンスを実行するか否か（ＯＮ又はＯＦＦ）を示す情報が格納される。
この測定シーケンスでは、ＬＥＤ５５ｉは、強度及び屈折角の組合せに応じた様々なパターンで発光する。
カメラ５５ｅは、光が被験者の肌に当たっている間に、被験者の肌の画像を撮像する。この画像から、吸光度が得られる。吸光度は、光に対する刺激反応の測定結果である。
光に対する刺激反応は、例えば、しみ、くすみ、血色、又は、くまに関する肌リスクに影響する。
【０１００】
（３−３）測定情報データベース
本実施形態の測定情報データベースについて説明する。図１１は、本実施形態の測定情報データベースのデータ構造を示す図である。
【０１０１】
図１１の測定情報データベースには、被験者の肌の刺激反応の測定結果に関する測定情報が格納される。
測定情報データベースは、「測定ＩＤ」フィールドと、「測定日」フィールドと、「コースＩＤ」フィールドと、「測定結果」フィールドと、を含む。各フィールドは、互いに関連付けられている。
測定情報データベースは、被験者ＩＤに関連付けられている。
【０１０２】
「測定ＩＤ」フィールドには、測定情報を識別する測定ＩＤが格納される。測定ＩＤは、例えば、測定情報データベースが更新される時に、サーバ３０によって決定される。
【０１０３】
「測定日」フィールドには、測定日を示す情報が格納される。
【０１０４】
「コースＩＤ」フィールドには、測定情報の基礎となる測定で用いられた測定コースのコースＩＤが格納される。
【０１０５】
「測定結果」フィールドには、測定結果を示す測定結果情報が格納される。
「測定結果」フィールドは、「加速度」フィールドと、「画像」フィールドと、「圧力」フィールドと、「押しボタン」フィールドと、「スライダ」フィールドと、を含む。
【０１０６】
「加速度」フィールドには、加速度センサ５５ｄによって測定された加速度の時間変化を示す情報が格納される。
【０１０７】
「画像」フィールドには、カメラ５５ｅによって撮像された画像の画像データが格納される。
【０１０８】
「圧力」フィールドには、圧力測定部５８によって測定された圧力の時間変化を示す圧力情報が格納される。
【０１０９】
「押しボタン」フィールドには、押しボタン５６ａによって生成された電気信号の時間変化を示す情報が格納される。電気信号の時間変化においてピークが現れるタイミングは、電気信号が生成されたタイミング（つまり、押しボタン５６ａが操作されたタイミング）を示す。
【０１１０】
「スライダ」フィールドには、スライダ５６ｂによって生成された電気信号の時間変化を示す情報が格納される。電気信号の時間変化においてピークが現れるタイミングは、電気信号が生成されたタイミング（つまり、スライダ５６ｂが操作されたタイミング）を示す。このピークの振幅は、スライダ５６ｂによって生成された電気信号の大きさ（つまり、スライダ５６ｂの操作速度）を示す。
【０１１１】
（３−４）評価情報データベース
本実施形態の評価情報データベースについて説明する。図１２は、本実施形態の評価情報データベースのデータ構造を示す図である。
【０１１２】
図１２の評価情報データベースには、被験者の肌の状態の評価結果に関する評価情報が格納される。
評価情報データベースは、「評価ＩＤ」フィールドと、「測定ＩＤ」フィールドと、「評価結果」フィールドと、を含む。各フィールドは、互いに関連付けられている。
評価情報データベースは、被験者ＩＤに関連付けられている。
【０１１３】
「評価ＩＤ」フィールドには、評価情報を識別する評価ＩＤが格納される。評価ＩＤは、例えば、評価情報データベースが更新される時に、サーバ３０によって決定される。
【０１１４】
「測定ＩＤ」フィールドには、評価情報の基礎となる測定情報の測定ＩＤが格納される。
【０１１５】
「評価結果」フィールドには、評価結果を示す評価結果情報が格納される。
「評価結果」フィールドは、「肌リスク」フィールドと、「肌生理」フィールドと、「肌状態」フィールドと、を含む。
【０１１６】
「肌リスク」フィールドには、肌リスクを示すコード、及び、肌リスクを示す肌リスク情報（例えば、テキスト）の組合せが格納される。肌リスクとは、将来的に肌のトラブルを引き起こし得る要因と、当該トラブルのレベルと、を示す指標である。肌リスクは、測定情報データベース（図１１）の「測定結果」フィールドの情報によって決まる。
【０１１７】
「肌生理」フィールドには、肌生理、及び、肌生理を示す肌生理情報（例えば、テキスト）の組合せを示すコードが格納される。肌生理とは、被験者の肌の生理学的な性質と、当該性質のレベルと、を示す指標である。肌生理は、測定情報データベース（図１１）の「測定結果」フィールドの情報によって決まる。
【０１１８】
「肌状態」フィールドには、肌状態を示すコード、及び、肌状態を示す肌状態情報（例えば、テキスト）の組合せが格納される。肌状態とは、肌の状態に関する指標である。肌状態は、肌リスク及び肌生理の組合せによって決まる状態、及び、当該状態のレベルである。
【０１１９】
（３−５）アドバイス情報マスタ
本実施形態のアドバイス情報マスタについて説明する。図１３は、本実施形態のアドバイス情報マスタのデータ構造を示す図である。
【０１２０】
図１３のアドバイス情報マスタには、被験者の肌のアドバイスに関するアドバイス情報が格納される。
アドバイス情報マスタは、「肌状態」フィールドと、「レコメンド商品ＩＤ」フィールドと、「レコメンド商品名」フィールドと、「アドバイスメッセージ」フィールドと、を含む。各フィールドは、互いに関連付けられている。
【０１２１】
「肌状態」フィールドには、肌状態を示すコードが格納される。
【０１２２】
「レコメンド商品ＩＤ」フィールドには、使用が推奨されるレコメンド商品を識別する商品ＩＤが格納される。レコメンド商品とは、ある肌状態において使用が推奨される商品（例えば、化粧品）である。
【０１２３】
「レコメンド商品名」フィールドには、レコメンド商品の名称を示す情報（例えば、テキスト）が格納される。
【０１２４】
「アドバイスメッセージ」フィールドには、アドバイスの内容（例えば、肌のケア方法）を示すアドバイスメッセージ（例えば、テキスト）が格納される。
【０１２５】
（４）測定処理
本実施形態の測定処理について説明する。図１４は、本実施形態の測定処理のシーケンス図である。図１５は、図１４の処理において表示される画面例を示す図である。図１６は、図１４の処理において表示される画面例を示す図である。
【０１２６】
図１４に示すように、クライアント装置１０は、メニュー画面の表示（Ｓ１００）を実行する。
具体的には、プロセッサ１２は、画面Ｐ１００（図１５）をディスプレイに表示する。
【０１２７】
画面Ｐ１００は、ボタンオブジェクトＢ１００ａ〜Ｂ１００ｃと、入力フィールドオブジェクトＦ１００と、を含む。
【０１２８】
入力フィールドオブジェクトＦ１００は、被験者ＩＤ及びパスワードの入力を受け付けるオブジェクトである。
【０１２９】
ボタンオブジェクトＢ１００ａ〜Ｂ１００ｃは、測定コースの指定に関するユーザ指示を受け付けるオブジェクトである。ボタンオブジェクトＢ１００ａ〜Ｂ１００ｃには、それぞれ、コースＩＤが割り当てられている。
【０１３０】
ステップＳ１００の後、クライアント装置１０は、測定リクエスト（Ｓ１０１）を実行する。
具体的には、測定装置５０のオペレータ、又は、被験者によって、ボタンオブジェクトＢ１００ａ（図１５）が操作され、且つ、入力フィールドオブジェクトＦ１００に情報が入力されると、プロセッサ１２は、画面Ｐ１０２をディスプレイに表示する。
【０１３１】
画面Ｐ１０２は、表示オブジェクトＡ１０２と、ボタンオブジェクトＢ１０２と、を含む。
表示オブジェクトＡ１０２には、測定に関する案内を示すメッセージが表示される。
ボタンオブジェクトＢ１０２は、測定開始のユーザ指示を受け付けるオブジェクトである。
【０１３２】
測定装置５０のオペレータ又は被験者によってボタンオブジェクトＢ１０２が操作されると、プロセッサ１２は、測定リクエストデータを測定装置５０に送信する。測定リクエストデータは、ステップＳ１００で操作されたボタンオブジェクトＢ１００ａに割り当てられたコースＩＤを含む。
【０１３３】
ステップＳ１０１の後、測定装置５０は、測定（Ｓ５００）を実行する。
【０１３４】
具体的には、プロセッサ５２は、測定コース情報マスタ（図１０）を参照して、測定リクエストデータに含まれるコースＩＤに関連付けられたレコード（つまり、測定装置５０のオペレータ、又は、被験者が指定した測定コースに関する情報）を特定する。
プロセッサ５２は、特定したレコードの「測定項目」フィールドの情報に基づいて、ポンプ制御信号及びプローブ制御信号を生成する。刺激生成部５７及びヘッドマウントプローブ５５は、ポンプ制御信号及びプローブ制御信号に基づいて、被験者に物理刺激を付加する。
ヘッドマウントプローブ５５及び圧力測定部５８は、物理刺激に対する刺激反応を測定し、且つ、測定結果を示す測定結果情報をプロセッサ５２に与える。
プロセッサ５２は、測定レスポンスデータをクライアント装置１０に送信する。測定レスポンスデータは、測定結果情報を含む。
【０１３５】
ステップＳ５００は、各測定シーケンスの実行中に繰り返し実行される。つまり、測定装置５０は、各測定シーケンスの実行中に測定レスポンスデータの送信を繰り返す。
【０１３６】
ステップＳ５００の後、クライアント装置１０は、測定画面の表示（Ｓ１０２）を実行する。
具体的には、プロセッサ５２は、測定レスポンスデータに基づく画面Ｐ１０４（図１６）をディスプレイに表示する。
【０１３７】
画面Ｐ１０４は、表示オブジェクトＡ１０４と、ボタンオブジェクトＢ１０４と、画像ＩＭＧ１０４と、を含む。
【０１３８】
表示オブジェクトＡ１０４には、ステップＳ１００で受け付けたユーザ指示に対応する付加パターンに基づく測定の進捗状況（「終了」、「測定中」、又は、「実行前」）が表示される。
【０１３９】
画像ＩＭＧ１０４は、終了した測定により得られた測定結果情報の種類（「洗浄」、「水の接触」、「水の蒸発」、「温風」、「温度変化」、「熱」、「空気振動」、「吸引圧力」、及び、「光」）毎の刺激反応の強さを示すグラフの画像である。
【０１４０】
ボタンオブジェクトＢ１０４は、サーバ３０に対して、測定結果に基づく評価を要求するユーザ指示を受け付けるオブジェクトである。
【０１４１】
ステップＳ１０３の後、クライアント装置１０は、評価リクエスト（Ｓ１０３）を実行する。
具体的には、ボタンオブジェクトＢ１０４が操作されると、プロセッサ１２は、評価リクエストデータをサーバ３０に送信する。
評価リクエストデータは、以下の情報を含む。
・ステップＳ１００で受け付けた被験者ＩＤ
・ステップＳ１０２で測定装置５０から送信された測定レスポンスデータに含まれる測定結果情報
・ステップＳ１０３の実行日を示す情報
【０１４２】
ステップＳ１０３の後、サーバ３０は、データベースの更新（Ｓ３００）を実行する。
具体的には、プロセッサ３２は、測定レスポンスデータに含まれる被験者ＩＤに関連付けられた測定情報データベース（図１１）に、新規レコードを追加する。
新規レコードの各フィールドには、以下の情報が格納される。
・「測定ＩＤ」フィールドには、プロセッサ３２によって任意に決定された新規測定ＩＤが格納される。
・「測定日」フィールドには、測定レスポンスデータに含まれる実行日を示す情報が格納される。
・「加速度」フィールドには、測定レスポンスデータに含まれる測定結果情報のうち、加速度情報が格納される。
・「画像」フィールドには、測定レスポンスデータに含まれる測定結果情報のうち、画像データが格納される。
・「圧力」フィールドには、測定レスポンスデータに含まれる測定結果情報のうち、圧力情報が格納される。
・「押しボタン」フィールドには、測定レスポンスデータに含まれる測定結果情報のうち、押しボタン５６ａによって生成された電気信号の時間変化を示す情報が格納される。
・「スライダ」フィールドには、測定レスポンスデータに含まれる測定結果情報のうち、スライダ５６ｂによって生成された電気信号の時間変化を示す情報が格納される。
【０１４３】
ステップＳ３００の後、サーバ３０は、評価（Ｓ３０１）を実行する。
具体的には、記憶装置３１には、肌リスクを推定するための肌リスク推定式と、肌生理を推定するための肌生理推定式と、が格納される。
プロセッサ３２は、測定レスポンスデータに含まれる測定結果を肌リスク推定式に適用することにより、肌リスクを決定する。
プロセッサ３２は、測定レスポンスデータに含まれる測定結果を肌生理推定式に適用することにより、肌生理を決定する。
【０１４４】
ステップＳ３０１の後、サーバ３０は、肌状態の判定（Ｓ３０２）を実行する。
具体的には、記憶装置３１には、マッチングテーブルが記憶されている。マッチングテーブルは、肌リスク及び肌生理の組合せと、肌状態との対応関係を示す情報である。
プロセッサ３２は、記憶装置３１に記憶されたマッチングテーブルを参照して、ステップＳ３０１で決定した肌リスク及び肌生理の組合せに対応する肌状態を特定する。
【０１４５】
ステップＳ３０２の後、サーバ３０は、データベースの更新（Ｓ３０３）を実行する。
【０１４６】
具体的には、プロセッサ３２は、測定レスポンスデータに含まれる被験者ＩＤに関連付けられた評価情報データベース（図１２）に、新規レコードを追加する。
新規レコードの各フィールドには、以下の情報が格納される。
・「評価ＩＤ」フィールドには、プロセッサ３２によって任意に決定された新規評価ＩＤが格納される。
・「測定ＩＤ」フィールドには、ステップＳ３００で追加された新規測定ＩＤが格納される。
・「肌リスク」フィールドには、ステップＳ３０１で決定された肌リスクを示すコードが格納される。
・「肌生理」フィールドには、ステップＳ３０１で決定された肌生理を示すコードが格納される。
・「肌状態」フィールドには、ステップＳ３０２で決定された肌状態を示すコードが格納される。
【０１４７】
ステップＳ３０３の後、サーバ３０は、評価レスポンス（Ｓ３０４）を実行する。
具体的には、プロセッサ３２は、アドバイス情報マスタ（図１３）を参照して、ステップＳ３０２で特定された肌状態を示すコードに対応するレコメンド商品ＩＤ、レコメンド商品の名称を示す情報、及び、アドバイスメッセージを特定する。
プロセッサ３２は、レコメンド商品ＩＤに対応するコード画像（例えば、二次元バーコード画像）の画像データを生成する。コード画像には、例えば、レコメンド商品ＩＤを販売するウェブサイトのＵＲＬ（Uniform Resource Name）が割り当てられる。
【０１４８】
プロセッサ３２は、評価レスポンスデータをクライアント装置１０に送信する。
・評価レスポンスデータは、以下の情報を含む。
・ステップＳ３０１で決定された肌リスク情報
・ステップＳ３０１で決定された肌生理情報
・ステップＳ３０２で決定された肌状態情報
・ステップＳ３０４で特定されたアドバイスメッセージ
・ステップＳ３０４で特定されたレコメンド商品の名称を示す情報
・ステップＳ３０４で生成されたコード画像データ
【０１４９】
ステップＳ３０４の後、クライアント装置１０は、評価結果画面の表示（Ｓ１０４）を実行する。
具体的には、画面Ｐ１０６は、表示オブジェクトＡ１０６と、画像ＩＭＧ１０６と、を含む。
【０１５０】
表示オブジェクトＡ１０６には、評価レスポンスデータに含まれる、肌リスク情報、肌生理情報、肌状態情報、アドバイスメッセージ、及び、レコメンド商品の名称を示す情報が表示される。
【０１５１】
画像ＩＭＧ１０６は、評価レスポンスデータに含まれるコード画像データに対応するコード画像である。
【０１５２】
被験者は、画面Ｐ１０６から、自身の肌の刺激反応と、肌リスクと、肌生理と、肌状態と、肌状態に基づくレコメンド商品と、を知ることができる。
また、被験者は、コード画像をコード読取装置（不図示）に読み取らせることにより、コード画像に割り当てられたＵＲＬのウェブサイトにアクセスすることができる。
【０１５３】
（５）変形例
本実施形態の変形例について説明する。
【０１５４】
（５−１）変形例１
変形例１について説明する。変形例１は、複数の化粧品を販売する自動販売機を用いて、コード画像に対応する化粧品を被験者に提供する例である。
【０１５５】
変形例１のコード画像には、レコメンド商品ＩＤが割り当てられる。
【０１５６】
自動販売機には、複数の化粧品が収容される。各化粧品には、商品ＩＤが割り当てられる。自動販売機は、コード画像を読み取るコードリーダを備える。
【０１５７】
被験者が、コード画像ＩＭＧ１０６のスクリーンショット、又は、ハードコピーをコードリーダに読み取らせると、自動販売機は、読み取ったコード画像に割り当てられたレコメンド商品ＩＤに対応する化粧品を被験者に提供する。
【０１５８】
変形例１によれば、被験者は、容易にレコメンド商品を入手することができる。例えば、自動販売機が公共機関（一例として、駅）に設置されている場合、被験者は、駅を利用する時（例えば、通勤の帰路）にレコメンド商品を入手することができる。
【０１５９】
（５−２）変形例２
変形例２について説明する。変形例２は、刺激の付加の方法を調整する例である。
【０１６０】
第１例として、変形例２の画面Ｐ１０４（図１６）は、更に、以下の項目を調整するためのオブジェクトを含む。
・ポンプ５７ｄがヘッドマウントプローブ５５に送る水の流速及び継続時間の少なくとも１つ
・ポンプ５７ｄがヘッドマウントプローブ５５に送る洗浄液の流速及び継続時間の少なくとも１つ
・ポンプ５７ｄがヘッドマウントプローブ５５に送る空気の風速及び継続時間の少なくとも１つ
・ポンプ５７ｄによる吸引の強さ及び継続時間の少なくとも１つ
・ヒータ５５ｃの温度及び加熱時間の少なくとも１つ
・ペルチェ素子５５ａの温度及び加熱時間の少なくとも１つ
・測定コースを構成する項目のＯＮ又はＯＦＦ
【０１６１】
第２例として、プロセッサ１２は、第１例の調整結果と、被験者ＩＤと、をサーバ３０に送信する。
プロセッサ３２は、調整結果と、被験者ＩＤと、を関連付けて記憶装置３１に記憶する。
これにより、被験者毎にカスタマイズされたコースの内容がサーバ３０で管理される。
【０１６２】
（５−３）変形例３
変形例３について説明する。変形例３は、被験者の視線、脳波、脈波の少なくとも１つを更に測定する例である。
【０１６３】
変形例３のクライアント装置１０又は測定装置５０は、被験者の視線を測定する視線測定部（例えば、カメラ）、被験者の脳波を測定する脳波センサ、及び、被験者の脈波を測定する脈波センサの少なくとも１つを備える。
【０１６４】
視線測定部、脳波センサ、及び、脈波センサの少なくとも１つによる測定は、例えば、以下のシーケンスの少なくとも１つに含まれる。
・水の接触で感じる知覚を測定するための測定シーケンス
・水の蒸発で感じる知覚を測定するための測定シーケンス
・緩やかな温度変化の知覚を測定するための測定シーケンス
・急激な温度変化の知覚を測定するための測定シーケンス
【０１６５】
変形例３によれば、測定結果の精度をより向上させることができる。
【０１６６】
（５−４）変形例４
変形例４について説明する。変形例４は、測定の安全性を向上させる例である。
【０１６７】
第１例として、プロセッサ５２は、温度センサ５５ｇの測定結果（つまり、気液出入口５５ｆａから放出された気体刺激物質及び液体刺激物質の温度）が所定の閾値以上になった場合、ポンプ５７ｄを停止させるためのポンプ制御信号を生成する。ポンプ５７ｄは、プロセッサ５２によって生成されたポンプ制御信号に従って停止する。
これにより、所定温度以上の温度に達した気体刺激物質及び液体刺激物質の放出が停止する。
【０１６８】
第２例として、プロセッサ５２は、温度センサ５５ｇの測定結果が所定の閾値以上になった場合、ヒータ５５ｃを停止させるためのプローブ制御信号、又は、ヒータ５５ｃの加熱温度を低下させるためのプローブ制御信号を生成する。ヒータ５５ｃは、プロセッサ５２によって生成されたプローブ制御信号に従って、停止する、又は、加熱温度を低下させる。
これにより、気液出入口５５ｆａから放出された気体刺激物質の温度が低下する。
【０１６９】
第３例として、プロセッサ５２は、水位センサ５５ｈの測定結果（つまり、右プローブ５５Ｒ内に滞留する液体刺激物質の量）が所定の閾値以上になった場合、本体５０ａからプローブ５５への液体（水又は洗浄液）の供給を停止させるためのポンプ制御信号を生成する。ポンプ５７ｄは、プロセッサ５２によって生成されたポンプ制御信号に従って、液体の供給を停止させ、且つ、右プローブ５５Ｒ内の液体（廃液）を廃液タンク５７ｃに吸い取る。
これにより、右プローブ５５Ｒ内に滞留する液体刺激物質の量が所定量以下に抑えられる。
【０１７０】
変形例４によれば、測定の安全性を向上させることができる。
【０１７１】
（６）本実施形態の小括
本実施形態について小括する。
【０１７２】
本実施形態の第１態様は、
被験者の顔の肌に物理刺激を与える刺激付加部（例えば、刺激生成部５７）と、
肌に付加された物理刺激に対する被験者の刺激反応を測定する測定部（例えば、ヘッドマウントプローブ５５）と、
を備える、測定装置５０である。
【０１７３】
第１態様によれば、人間の肌が実際に曝される物理刺激に対する個々の刺激反応を測定することができる。
【０１７４】
本実施形態の第２態様の刺激付加部は、肌に液体を接触させるポンプ５７ｄを備える。
【０１７５】
第２態様によれば、水による物理刺激を被験者に与えることができる。
【０１７６】
本実施形態の第３態様の測定装置５０は、被験者の操作に応じた信号を生成する操作部５６を備え、
測定部は、液体が肌に接触してから操作部５６によって信号が生成される迄の反応時間を測定する。
【０１７７】
第３態様によれば、水による物理刺激に対する被験者の刺激反応を取得することができる。
【０１７８】
本実施形態の第４態様の刺激付加部は、肌に気体を接触させるポンプ５７ｄを備える。
【０１７９】
第４態様によれば、気体による物理刺激を被験者に与えることができる。
【０１８０】
本実施形態の第５態様の測定部は、気体が接触した肌の粘弾性による位相の時間変化を測定する圧力測定部５８を備える。
【０１８１】
第５態様によれば、気体による物理刺激に対する被験者の刺激反応を取得することができる。
【０１８２】
本実施形態の第６態様の測定装置５０は、気体を加熱するヒータ５５ｃを備え、
刺激付加部は、ヒータ５５ｃによって加熱された気体を肌に接触させるポンプ５７ｄを備える。
【０１８３】
第６態様によれば、熱による物理刺激を被験者に与えることができる。
【０１８４】
本実施形態の第７態様の測定部は、物理刺激が付加されている間の肌の画像を撮像するカメラ５５ｅを備える。
【０１８５】
本実施形態の第８態様の刺激付加部は、肌に光を照射する発光部（例えば、ＬＥＤ５５ｉ）を備え、
カメラ５５ｅは、光が照射されている間の肌の画像を撮像する。
【０１８６】
第８態様によれば、肌の吸光度を測定することができる。
【０１８７】
本実施形態の第９態様の刺激付加部は、肌を吸引するポンプ５７ｄを備える。
【０１８８】
第９態様によれば、空気の吸引による物理刺激を被験者に与えることができる。
【０１８９】
本実施形態の第１０態様の測定部は、吸引された肌の粘弾性による圧力の時間変化を測定する圧力測定部５８を備える。
【０１９０】
第１０態様によれば、被験者の吸引圧力を取得することができる。
【０１９１】
本実施形態の第１１態様は、測定装置５０を制御するクライアント装置１０と通信可能なサーバ３０であって、
クライアント装置１０から、測定装置５０による測定を受ける被験者を識別する被験者ＩＤと、測定装置５０による測定結果を示す測定結果情報と、を取得する手段（例えば、ステップＳ３００の処理を実行するプロセッサ３２）を備え、
被験者ＩＤと、測定結果情報と、を関連付けて記憶する手段（例えば、例えば、ステップＳ３００の処理を実行するプロセッサ３２）を備える、サーバ３０である。
【０１９２】
第１１態様によれば、複数の被験者のそれぞれの刺激反応を管理することができる。
【０１９３】
（７）その他の変形例
【０１９４】
記憶装置１１は、ネットワークＮＷを介して、クライアント装置１０と接続されてもよい。記憶装置３１は、ネットワークＮＷを介して、サーバ３０と接続されてもよい。記憶装置５１は、ネットワークＮＷを介して、測定装置５０と接続されてもよい。
【０１９５】
測定装置５０は、クライアント装置１０を備えても良い。この場合、測定装置５０は、ネットワークＮＷを介して、サーバ３０と接続される。測定装置５０は、測定結果情報をサーバ３０に送信する。
【０１９６】
以上、本発明の実施形態について詳細に説明したが、本発明の範囲は上記の実施形態に限定されない。また、上記の実施形態は、本発明の主旨を逸脱しない範囲において、種々の改良や変更が可能である。また、上記の実施形態及び変形例は、組合せ可能である。
【符号の説明】
【０１９７】
１            ：測定システム
１０          ：クライアント装置
１１          ：記憶装置
１２          ：プロセッサ
１３          ：入出力インタフェース
１４          ：通信インタフェース
３０          ：サーバ
３１          ：記憶装置
３２          ：プロセッサ
３３          ：入出力インタフェース
３４          ：通信インタフェース
５０          ：測定装置
５０ａ        ：本体
５１          ：記憶装置
５２          ：プロセッサ
５３          ：入出力インタフェース
５４          ：通信インタフェース
５５          ：ヘッドマウントプローブ
５５Ｂ        ：バンド
５５Ｌ        ：左プローブ
５５Ｒ        ：右プローブ
５５ａ        ：ペルチェ素子
５５ｂ        ：水冷機
５５ｃ        ：ヒータ
５５ｄ        ：加速度センサ
５５ｅ        ：カメラ
５５ｆ        ：チューブ
５５ｆａ      ：気液出入口
５５ｇ        ：温度センサ
５５ｈ        ：水位センサ
５５ｉ        ：ＬＥＤ
５６          ：操作部
５６ａ        ：押しボタン
５６ｂ        ：スライダ
５７          ：刺激生成部
５７ａ        ：水タンク
５７ｂ        ：洗浄液タンク
５７ｃ        ：廃液タンク
５７ｄ        ：ポンプ
５８          ：圧力測定部
【図１】
2019044869.tif 000003
【図２】
2019044869.tif 000004
【図３】
2019044869.tif 000005
【図４】
2019044869.tif 000006
【図５】
2019044869.tif 000007
【図６】
2019044869.tif 000008
【図７】
2019044869.tif 000009
【図８】
2019044869.tif 000010
【図９】
2019044869.tif 000011
【図１０】
2019044869.tif 000012
【図１１】
2019044869.tif 000013
【図１２】
2019044869.tif 000014
【図１３】
2019044869.tif 000015
【図１４】
2019044869.tif 000016
【図１５】
2019044869.tif 000017
【図１６】
2019044869.tif 000018
【国際調査報告】
2019044869.tif 000019
2019044869.tif 000020